(57)【要約】【課題】衛生面を考慮しつつ、一つのカセッテで複数の被検体の放射線画像を撮影出来ること。【解決手段】移動型放射線撮影装置１におけるカセッテ収納部１０５には収納袋Ｐがセットされており、カセッテＣＡを収納袋Ｐに挿入させた状態で移動型放射線撮影装置１を移動させる。放射線画像を撮影する場合、収納袋Ｐに挿入した状態でカセッテＣＡをカセッテ収納部１０５から取り出し、カセッテＣＡを収納袋Ｐに収納させた状態で放射線画像を撮影する。カセッテ収納部１０５にセットされた収納袋Ｐの開口ＯＰは、開閉扉１０４に開動作により開く。【選択図】図１
2011160913.tif 000002
【特許請求の範囲】
【請求項１】
少なくとも、
被検体に放射線を照射する放射線照射部と、
基板上に二次元的に配列された検出素子を内蔵し当該検出素子に照射された放射線量に応じた電気信号を出力する可搬型のカセッテを収納するカセッテ収納部と、を有し、
撮影場所に移動して放射線画像を撮影する移動型放射線撮影装置であって、
前記カセッテ収納部の収納口を開閉する開閉扉と、
前記カセッテ収納部内にセットされ、一端に設けられた開口を通じて前記カセッテが挿入される収納袋と、
前記開閉扉の閉動作によって前記収納袋の一部に係合し、前記収納袋の一部との係合を維持しつつ前記開閉扉の開動作によって前記開口を広げる係合部と、
前記収納袋と前記係合部との係合を解除し、前記カセッテを前記収納袋に収納させた状態で前記カセッテ収納部から取り出せるようにする解除部と、
を有することを特徴とする移動型放射線撮影装置。
【請求項２】
複数の前記収納袋を保持する保持部を有する請求項１に記載の移動型放射線撮影装置。
【請求項３】
前記収納袋は、前記開口の周辺に粘着部を備える請求項１又は２に記載の移動型放射線撮影装置。
【発明の詳細な説明】
【技術分野】
【０００１】
本発明は、移動型放射線撮影装置に関する。
【背景技術】
【０００２】
重度の患者や寝たきりの患者等、病院内の放射線撮影室に移動して放射線画像を撮影出来ない患者に対して放射線画像を撮影するため、患者のベッドサイド等に移動して放射線画像を撮影する移動型放射線撮影装置が知られている。移動型放射線撮影装置としては、例えば特許文献１に記載されたものがある。
【０００３】
特許文献１に記載された移動型放射線撮影装置（特許文献１における「回診用Ｘ線撮影装置」が該当する）は、Ｘ線撮影装置本体と、装置本体操作用の携帯端末からなっている。Ｘ線撮影装置本体は、被検体にＸ線を照射するＸ線管や、フィルムカセッテやＣＲカセッテを複数枚収納可能なカセッテ収納ボックス等が、電動及び手動のいずれでも移動させられる台車に配備された構成となっている。
【０００４】
回診して複数の被検体を撮影する場合、カセッテ収納ボックスに複数枚のフィルムカセッテ、またはＣＲカセッテを収納して移動型放射線撮影装置を移動させる。被検体の所に移動すると、カセッテ収納ボックスから未撮影の１枚のフィルムカセッテを取り出し、被検体とベッドとの間にフィルムカセッテを挿入してフィルムカセッテを撮影位置にセットする。そして、Ｘ線管から放射線を照射し、フィルムカセッテが露光されて放射線撮影が実行される。放射線撮影の実行が終了するとフィルムカセッテは再度カセッテ収納ボックスに収納され、次の被検体の所へ移動型放射線撮影装置を移動させて、同じような動作を繰り返して放射線撮影が実行され、撮影が終了すると、撮影を行ったカセッテを自動現像機やＣＲカセッテ読取装置の設置された場所まで移動して、アナログまたはデジタル画像が生成される。
【先行技術文献】
【特許文献】
【０００５】
【特許文献１】特開２００３−２１０４４６号公報
【発明の概要】
【発明が解決しようとする課題】
【０００６】
ところで、近年ではデジタル方式の放射線撮影装置が用いられるようになってきており、基板上に二次元的に配列された検出素子を内蔵して検出素子に照射された放射線量に応じた電気信号を出力するＦＰＤカセッテを用いた放射線撮影装置がある。ＦＰＤカセッテはメモリを内蔵しており、１枚のＦＰＤカセッテで複数の撮影を連続的に実行することが出来る。従って、移動型放射線撮影装置においてフィルムカセッテやＣＲカセッテを使用する代わりにＦＰＤカセッテを使用すれば、回診して複数の被検体を撮影する場合に特許文献１のように複数枚のカセッテを収納せず１枚のＦＰＤカセッテを収納して移動型放射線撮影装置を移動することが出来るため、カセッテ収納ボックスの省スペース化、カセッテを含めた移動型放射線撮影装置全体の軽量化に繋がり、効果的である。
【０００７】
しかし、１枚のＦＰＤカセッテを収納した移動型放射線撮影装置を用いて複数の被検体を撮影する場合、同一のＦＰＤカセッテを複数の被検体に直接宛がうこととなる。その結果、ＦＰＤカセッテを通じて被検体間で伝染する可能性があり、衛生面の観点で好ましくない。
【０００８】
そこで、本発明の目的は、衛生面を考慮しつつ、一つのカセッテで複数の被検体の放射線画像を撮影出来る移動型放射線撮影装置を提供することにある。
【課題を解決するための手段】
【０００９】
上記目的を達成するため、本発明に係る移動型放射線撮影装置は、
少なくとも、
被検体に放射線を照射する放射線照射部と、
基板上に二次元的に配列された検出素子を内蔵し当該検出素子に照射された放射線量に応じた電気信号を出力する可搬型のカセッテを収納するカセッテ収納部と、を有し、
撮影場所に移動して放射線画像を撮影する移動型放射線撮影装置であって、
前記カセッテ収納部の収納口を開閉する開閉扉と、
前記カセッテ収納部内にセットされ、一端に設けられた開口を通じて前記カセッテが挿入される収納袋と、
前記開閉扉の閉動作によって前記収納袋の一部に係合し、前記収納袋の一部との係合を維持しつつ前記開閉扉の開動作によって前記開口を広げる係合部と、
前記収納袋と前記係合部との係合を解除し、前記カセッテを前記収納袋に収納させた状態で前記カセッテ収納部から取り出せるようにする解除部と、
を有することを特徴とするものである。
【発明の効果】
【００１０】
本発明に係る移動型放射線撮影装置によれば、衛生面を考慮しつつ、一つのカセッテで複数の被検体の放射線画像を撮影出来る。
【図面の簡単な説明】
【００１１】
【図１】移動型放射線撮影装置を示す概略図である。
【図２】装置本体部の上面を示す斜視図である。
【図３】装置本体部と携帯端末の代表的な制御構成を示すブロック図である。
【図４】開閉扉とカセッテ収容部の関係を示す説明図である。
【図５】収納袋を示す斜視図である。
【図６】図４におけるｃ方向からみた支持棒と収納袋の関係を示す説明図である。
【図７】吸引盤と解除部の構造を示す拡大断面図である。
【図８】開閉扉が開いた状態を示す説明図である。
【図９】患者に対するカセッテの位置を調整して放射線画像を撮影する手順を示すフローチャート図である。
【発明を実施するための形態】
【００１２】
［移動型放射線撮影装置の概要］
図１は、本発明に係る移動型放射線撮影装置を示す概略図である。
【００１３】
移動型放射線撮影装置１は、寝たきりの患者（被検体）Ｈが居る病室間を移動して放射線画像を撮影する装置である。移動型放射線撮影装置１は、主に装置本体部１００と、装置本体部１００に対して着脱可能な携帯端末２００により構成されている。放射線画像を撮影する場合は、移動型放射線撮影装置１とともに可搬型のＦＰＤカセッテＣＡ（以下、単にカセッテと呼ぶ）を使用する。
【００１４】
装置本体部１００は、主に車輪１０１Ａ、１０１Ｂ、放射線照射部１０２、操作表示部１０３、開閉扉１０４、カセッテ収納部１０５等より構成されている。
【００１５】
車輪１０１Ａ、１０１Ｂは、装置本体部１００の下部に設置されており、電動又は手動により車輪１０１Ａ、１０１Ｂが回転して移動型放射線撮影装置１が複数の患者Ｈの居る病室間を移動する。
【００１６】
装置本体部１００の上部に設置された放射線照射部１０２は、撮影技師が操作表示部１０３を操作することにより、患者Ｈに向けて放射線を照射する。また、放射線照射部１０２は、高さ、傾き等、撮影の目的に応じて位置が調整可能であり、放射線照射部１０２の位置の調整は、放射線照射の動作と同様に撮影技師が操作表示部１０３を操作するか、手動で直接操作することにより実行される。
【００１７】
カセッテＣＡは、移動型放射線撮影装置１が移動する間、カセッテ収納部１０５に収納された状態で運搬され、放射線画像を撮影する際にカセッテ収納部１０５から取り出されて患者Ｈの関心領域（撮影領域）とベッドＢＥとの間等にセットされる。
【００１８】
内部構造の詳しい説明は省略するが、カセッテＣＡは基板上に二次元的に配列された検出素子を内蔵し当該検出素子に照射された放射線量に応じた電気信号を出力する可搬型のカセッテである。カセッテＣＡ内には記憶部が設置されており、１枚のカセッテＣＡを利用して複数の放射線画像をカセッテＣＡ内に記憶することが出来る。従って、複数の患者Ｈの放射線画像を撮影する場合に１枚のカセッテＣＡを収納して移動型放射線撮影装置１を移動すればよいため、フィルムカセッテ等を搭載する既存の移動型放射線撮影装置のカセッテ保持部には空間的な余裕が生まれることになる。なお、新たに移動型放射線撮影装置を設計する場合には、カセッテ収納部１０５の省スペース化、カセッテＣＡを含めた移動型放射線撮影装置１全体の軽量化をはかることが可能となるのは勿論である。
【００１９】
カセッテＣＡのサイズは、従来のスクリーン／フィルム用のカセッテにおける規格（ＪＩＳ  Ｚ  ４９０５）に準拠するサイズ（１５ｍｍ＋１ｍｍであり、かつ１５ｍｍ−２ｍｍ）である（ＪＩＳ  Ｚ  ４９０５に対応する国際規格は、ＩＥＣ  ６０４０６である）。従って、カセッテＣＡは、本実施形態のように病室を移動して複数の患者Ｈの放射線画像を撮影する場合に使用出来るとともに、従来のスクリーン／フィルム用のカセッテで使用された既存の撮影台にセットして放射線画像を撮影する場合にも使用でき、広範囲に使用可能である。
【００２０】
装置本体部１００の側面に設置された開閉扉１０４は回動可能であり、撮影技師がカセッテＣＡをカセッテ収納部１０５に挿入する場合は、開閉扉１０４を図１に示すａ方向に回動させて開閉扉１０４の上部に形成された収納口からカセッテＣＡを挿入する。また撮影技師がカセッテＣＡをカセッテ収納部１０５に挿入した後は、開閉扉１０４を図１に示すｂ方向に回動させて収納口を閉める。
【００２１】
装置本体部１００の上面には操作表示部１０３が設置されており、携帯端末２００も装置本体部１００の上面に着脱可能に設置されている。
【００２２】
図２は、装置本体部１００の上面を示す斜視図である。
【００２３】
装置本体部１００の上面に設置された操作表示部１０３は、モニタ１０３Ａと操作キー１０３Ｂにより構成されている。モニタ１０３Ａには、装置本体部１００の状態が表示されるとともに、患者Ｈに対するカセッテＣＡの位置が適切かどうかを確認するため、カセッテＣＡから送信されたプレビュー用画像データ（例えば、放射線画像の間引きデータ）が表示される。操作キー１０３Ｂは撮影技師が放射線照射部１０２の位置や照射条件等を調整する作業等のために操作される。
【００２４】
携帯端末２００は装置本体部１００に着脱可能であり、図２に示す矢印方向に取り外せる。携帯端末２００には患者Ｈの情報や撮影順序の情報等が記憶されており、それらの情報が携帯端末２００の画面に表示される。移動型放射線撮影装置１が病室を移動する間、携帯端末２００は装置本体部１００に装着されて装置本体部１００とともに移動し、病室において放射線画像を撮影する場合、撮影技師が携帯端末２００を装置本体部１００から取り外して、患者Ｈの情報、撮影順序の情報等や上述するプレビュー用画像データを画面で確認する。
【００２５】
図３は装置本体部１００と携帯端末２００の代表的な制御構成を示すブロック図である。
【００２６】
装置本体部１００の各種動作は本体制御部ＳＥ１により制御され、携帯端末２００の各種動作は端末制御部ＳＥ２により制御される。本体制御部ＳＥ１、端末制御部ＳＥ２は、主に、ＣＰＵ（Ｃｅｎｔｒａｌ  Ｐｒｏｃｅｓｓｉｎｇ  Ｕｎｉｔ）、ＲＯＭ（Ｒｅａｄ  Ｏｎｌｙ  Ｍｅｍｏｒｙ）、ＲＡＭ（Ｒａｎｄｏｍ  Ａｃｃｅｓｓ  Ｍｅｍｏｒｙ）等により構成され、ＲＯＭに格納されている各種制御プログラムを読み出してＲＡＭに展開し、各部の動作を制御する。
【００２７】
装置本体部１００の主な制御構成は、本体制御部ＳＥ１、放射線照射部１０２、操作表示部１０３、本体記憶部１０６、本体電源部１０７、照射駆動部１０８、本体通信部１０９である。
【００２８】
本体記憶部１０６は、各種制御プログラムが記憶されているとともに、本体通信部１０９を通じてカセッテＣＡから無線により送信された放射線画像の間引きデータが一時的に記憶される。
【００２９】
本体電源部１０７は、放射線照射用の電力を放射線照射部１０２に供給する等、装置本体部１００の各部に電力を供給する。本体電源部１０７は充電方式の電源であり、移動型放射線撮影装置１が移動して放射線画像を撮影する前に撮影技師等によって充電作業がなされる。
【００３０】
照射駆動部１０８は、放射線照射部１０２の高さ、傾き等を調整する。放射線照射部１０２の位置の調整は、撮影技師が操作表示部１０３を操作することにより実行され、所定のプログラムにより本体制御部ＳＥ１が動作して照射駆動部１０８が放射線照射部１０２を駆動する。
【００３１】
本体通信部１０９は無線によりカセッテＣＡと通信し、カセッテＣＡから、放射線画像データ、放射線画像のプレビュー用画像データ（例えば、間引きデータ）、オフセット補正用暗画像データ等を受信する。また、携帯端末２００の端末通信部２０４に対してプレビュー用画像データ等の所望のデータの送受信も行うことが出来る。
【００３２】
携帯端末２００の主な制御構成は、端末制御部ＳＥ２、端末記憶部２０１、端末操作表示部２０２、端末電源部２０３、端末通信部２０４である。
【００３３】
複数の患者Ｈの放射線画像を撮影する前の準備段階で、携帯端末２００は患者Ｈの名称、患者Ｈが居る病室、撮影する順序等の情報をホストコンピュータ（不図示）から端末通信部２０４を通じて受信し、受信した情報を端末記憶部２０１に記憶する。
【００３４】
端末操作表示部２０２は、放射線画像を撮影する際に端末記憶部２０１に記憶されている情報を表示し、撮影技師は表示された情報に基づいて放射線画像の撮影を行う。
【００３５】
携帯端末２００は装置本体部１００に装着されている場合、装置本体部１００の本体電源部１０７から電力の供給を受けるが、携帯端末２００が装置本体部１００から取り外されると、携帯端末２００の各部は端末電源部２０３より電力の供給を受ける。
【００３６】
端末通信部２０４は、ホストコンピュータと通信するとともに、装置本体部１００の本体通信部１０９と無線で通信することも可能である。
【００３７】
以上説明した構造の移動型放射線撮影装置１を利用し、１枚のカセッテＣＡで複数の患者Ｈの放射線画像を撮影する。
【００３８】
［カセッテの収納］
次に、収納袋ＰによるカセッテＣＡの収納について説明する。
【００３９】
前述したように、移動型放射線撮影装置１は１枚のカセッテＣＡをカセッテ収納部１０５に収納し、１枚のカセッテＣＡにより複数の患者Ｈの放射線画像を撮影する。複数の患者Ｈの放射線画像を撮影する際にカセッテＣＡを複数の患者Ｈに直接宛がうと、カセッテＣＡを通じて患者間で伝染する可能性があり、衛生面の観点で好ましくない。
【００４０】
そこで、本実施形態に示す移動型放射線撮影装置１では、使い捨てのポリエチレン等の箔肉樹脂材料で構成された可撓性収納袋ＰにカセッテＣＡを収納させた状態で放射線画像を撮影する。そして、１人の患者に対する全ての撮影が終了したら使用済みの収納袋ＰからカセッテＣＡを取り出し、カセッテＣＡを新しい収納袋Ｐに収納するようにする。以下、カセッテＣＡを収納袋Ｐに収納する構造について詳しく説明する。
【００４１】
図４は、開閉扉１０４とカセッテ収容部１０５の関係を示す説明図である。図４において、カセッテ収納部１０５にはカセッテＣＡが収納されておらず、複数の収納袋Ｐがセットされている。
【００４２】
カセッテ収納部１０５は、主に支持棒１０５Ａ、分離爪１０５Ｂ、背面板１０５Ｃにより構成されており、支持棒１０５Ａが複数の収納袋Ｐ（図４では３枚の収納袋Ｐ）を支持している。
【００４３】
まず、支持棒１０５Ａに支持される収納袋Ｐの構造について説明する。図５は、収納袋Ｐを示す斜視図である。
【００４４】
図５に示すように、収納袋Ｐの一方の端部Ｐ１は閉じており、もう一方の端部Ｐ２は矢印方向に移動可能である。端部Ｐ２が移動するとカセッテＣＡを挿入するための開口ＯＰが開く。収納袋Ｐがカセッテ収納部１０５にセットされ開閉扉１０４が閉まっている状態（図４に示す状態）では、収納袋Ｐの開口ＯＰは閉じている。
【００４５】
収納袋Ｐの上部には支持穴Ｐ３が左右に二つ形成されており、後述するように支持穴Ｐ３を通じて収納袋Ｐが支持棒１０５Ａに支持される。
【００４６】
開口ＯＰの周辺には粘着部Ｐ４が設けられている。通常、粘着部Ｐ４の表面は剥離紙（不図示）に覆われている。カセッテ収納部１０５にセットされた収納袋ＰにカセッテＣＡを挿入しカセッテＣＡとともに収納袋Ｐをカセッテ収納部１０５から取り出した後は、剥離紙を剥がして収納袋Ｐの側面Ｘを折り曲げて収納袋Ｐの表面Ｙに粘着部Ｐ４を接着し、開口ＯＰを塞ぐようにする。開口ＯＰの周辺に粘着部Ｐ４を設けることにより簡易に開口ＯＰを塞ぐことが出来る。
【００４７】
次に、収納袋Ｐがセットされるカセッテ収納部１０５の構造について説明する。
【００４８】
図４に示すように、カセッテ収納部１０５の上部には支持棒（保持部）１０５Ａが設置されており、支持棒１０５Ａが複数の収納袋Ｐを支持（保持）している。図４におけるｃ方向からみた支持棒１０５Ａと収納袋Ｐの関係を図６に示す。図６に示すように、支持棒１０５Ａが左右に２つ設置されており、２つの支持棒１０５Ａに収納袋Ｐの支持穴Ｐ３（図５参照）を通すことにより、収納袋Ｐが支持棒１０５Ａに支持される。支持棒１０５Ａは複数の収納袋Ｐを支持出来るため、カセッテＣＡを複数回、新しい収納袋Ｐに収納させ、複数の患者毎に取り替えることが出来る。
【００４９】
支持棒１０５Ａにより支持されている収納袋Ｐに対して開閉扉１０４側には、分離爪１０５Ｂ（図４参照）が設置されている。分離爪１０５Ｂは、開閉扉１０４の開動作の際に、複数の収納袋Ｐの中から開閉扉１０４に最も近接する１枚の収納袋Ｐを分離する。分離爪１０５Ｂは開閉扉１０４側から見ると、図６で示すように一部が収納袋Ｐに干渉するようになっている。支持棒１０５Ａに収納袋Ｐをセットする場合は、分離爪１０５Ｂを図６の矢印方向に回動させて収納袋Ｐのセット作業に支障がないようにし、収納袋Ｐのセット作業が終了すると分離爪１０５Ｂを元の位置に戻す構造となっている。
【００５０】
収納袋Ｐを挟んで分離爪１０５Ｂの反対側には背面板１０５Ｃが設置されている（図４参照）。背面板１０５Ｃは、開閉扉１０４に設置された吸引盤（係合部）１１０が収納袋Ｐに接触する際に収納袋Ｐが吸引盤１１０の反対側に逃げないように収納袋Ｐの移動を抑制する。
【００５１】
次に開閉扉１０４に設置されている吸引盤１１０及び解除部１２０の構造について説明する。
【００５２】
前述したように開閉扉１０４は図４に示すａ方向、ｂ方向に回動するが、開閉扉１０４には吸引盤１１０と解除部１２０（図７参照）が設置されており、開閉扉１０４の回動動作とともに吸引盤１１０と解除部１２０が移動する。
【００５３】
図７は、吸引盤１１０と解除部１２０の構造を示す拡大断面図である。
【００５４】
開閉扉１０４には解除部１２０が埋め込まれており、解除部１２０の先に吸引盤１１０が取り付けられている。開閉扉１０４が閉まると（図４に示す状態）、吸引盤１１０が収納袋Ｐの一部に接触し、吸引盤１１０の内部が負圧となることにより吸引盤１１０が収納袋Ｐの一部を吸引（係合）する。
【００５５】
図７に示すように、解除部１２０は、主に、解除ボタン１２０Ａ、壁部材１２０Ｂ、Ｏリング１２０Ｃ、バネ部材１２０Ｄにより構成されている。
【００５６】
解除ボタン１２０Ａは、一部が開閉扉１０４の外側に突出し、図７に示す矢印方向に移動可能である。また、解除ボタン１２０Ａはバネ部材１２０Ｄにより押圧されており、バネ部材１２０Ｄの押圧力により解除ボタン１２０ＡがＯリング１２０Ｃに接触している。吸引盤１１０が収納袋Ｐの一部に接触した状態で解除ボタン１２０ＡとＯリング１２０Ｃが接触していると、吸引盤１１０と解除部１２０の内部が密閉されて負圧となるが、解除ボタン１２０Ａが押圧されると、密閉状態が解除されて、吸引盤１１０と収納袋Ｐとの吸引が解除される。
【００５７】
以上、収納袋Ｐ、カセッテ収納部１０５、開閉扉１０５の構造を説明したが、次にカセッテＣＡを収納袋Ｐに収納する手順を説明する。
【００５８】
移動型放射線撮影装置１を移動させて放射線画像を撮影する準備段階として、まず、図４に示すように複数の収納袋Ｐをカセッテ収納部１０５にセットし、開閉扉１０４を閉める。開閉扉１０４を閉めると、開閉扉１０４に設置された吸引盤１１０が開閉扉１０４に最も近い収納袋Ｐに接触する。このときに解除ボタン１２０Ａが撮影技師等により押圧されていないため、吸引盤１１０の内部が負圧となって吸引盤１１０が収納袋Ｐを吸引する。
【００５９】
次に、移動型放射線撮影装置１のカセッテ収納部１０５にカセッテＣＡを収納するために、開閉扉１０４を図４に示すａ方向に回動させて開閉扉１０４を開ける。開閉扉１０４を開けた状態を図８に示す。開閉扉１０４を開けると、吸引盤１０７が収納袋Ｐとの吸引を維持しつつ移動するため、複数の収納袋Ｐのうち吸引された１枚の収納袋Ｐのみが吸引盤１０７により引っ張られて分離爪１０５Ｂを乗り越え図８に示すようにｄ方向に移動する。そして収納袋Ｐの開口ＯＰが吸引盤１１０の移動によって広がる。
【００６０】
収納袋Ｐの開口ＯＰが広がった状態でカセッテＣＡを収納袋Ｐに挿入する（図８のｅ方向）。これによってカセッテＣＡのカセッテ収納部１０５への収納動作が完了し、移動型放射線撮影装置１が移動する間は開閉扉１０４を閉めた状態とする。
【００６１】
移動型放射線撮影装置１を患者Ｈの病室に移動させて放射線画像を撮影する場合、再度図８に示すように開閉扉１０４を開け、図７で説明した解除部１２０の解除ボタン１２０Ａを押して、収納袋Ｐに対する吸引盤１１０の吸引を解除する。そして、カセッテＣＡを収納袋Ｐに収納させた状態で収納袋ＰとともにカセッテＣＡを取り出す。取り出した後は図５で説明したように、収納袋Ｐの粘着部Ｐ４を利用して収納袋Ｐの開口ＯＰを塞ぎ、カセッテＣＡを収納袋Ｐに収納させたまま、患者ＨとベッドＢＥの間に挿入して放射線画像を撮影する。カセッテＣＡは収納袋Ｐに収納されているため、カセッテＣＡが直接患者Ｈに接触することはない。
【００６２】
放射線画像の撮影が終了すると、撮影技師が収納袋Ｐの開口ＯＰを開けてカセッテＣＡを取り出し、収納袋Ｐはそのまま捨てられる。そして、開閉扉１０４を閉めた状態から開けると、次の収納袋Ｐが開閉扉１０４側に移動し、移動した収納袋Ｐの開口ＯＰが広がるため（図８参照）、新しい収納袋ＰにカセッテＣＡを挿入し、開閉扉１０４を閉めて次の患者Ｈの所へ移動型放射線撮影装置１を移動させる。このような手順を繰り返し、複数の患者Ｈの放射線画像を撮影する。
【００６３】
以上説明したように、複数の収納袋Ｐをカセッテ収納部１０５にセットし、開閉扉１０４の開動作により収納袋Ｐの開口ＯＰを広げ、収納袋ＰにカセッテＣＡを挿入する。そしてカセッテＣＡを取り出す場合は、解除ボタン１２０Ａを押して吸引盤１１０の吸引を解除し、カセッテＣＡを収納袋Ｐに収納させた状態で取り出す。その後、カセッテＣＡを収納袋Ｐに収納させた状態で放射線画像を撮影し、撮影が終了したら使用済みの収納袋ＰからカセッテＣＡを取り出し、カセッテＣＡを新しい収納袋Ｐに挿入する。このような移動型放射線撮影装置１により放射線画像を撮影すれば、カセッテＣＡを複数の患者Ｈに直接宛がうことなく、１枚のカセッテＣＡで複数の患者Ｈの放射線画像を撮影でき、衛生面でも良好である。また、既存の移動型放射線撮影装置に備えられていた複数枚カセッテの保持部スペースに配置することが可能であるので、カセッテＦＰＤ導入に伴って、当該移動型放射線撮影装置を改造可能となる。
【００６４】
なお、図１に示す実施形態では、カセッテＣＡと装置本体部１００をケーブルにより接続していないが、カセッテＣＡと装置本体部１００をケーブルにより接続して放射線画像を撮影する形態の移動型放射線撮影装置においても、カセッテＣＡを収納袋Ｐに収納させるようにしてもよい。
【００６５】
［移動型放射線撮影装置における撮影動作］
次に、患者Ｈに対するカセッテＣＡの位置を調整して放射線画像を撮影する手順を説明する。
【００６６】
図９は患者Ｈに対するカセッテＣＡの位置を調整して放射線画像を撮影する手順を示すフローチャート図である。
【００６７】
図９のフローチャート図には示していないが、移動型放射線撮影装置１を移動させて放射線画像を撮影する準備段階として、まず、携帯端末２００とホストコンピュータ間で通信し、ホストコンピュータに記憶されている患者Ｈの名称、患者Ｈが居る病室、撮影する順序等の情報を携帯端末２００に記憶させる。撮影技師は携帯端末２００に記憶した情報に基づいて移動型放射線撮影装置１を移動させ、予め決まった順序により複数の患者Ｈの放射線画像を撮影するようにする。
【００６８】
放射線画像を撮影する準備が整った段階で、撮影技師は移動型放射線撮影装置１を最初に撮影する患者Ｈの病室に移動する。そして、カセッテ収納部１０５に収納されているカセッテＣＡを収納袋Ｐに収納させた状態で図１に示すように患者ＨとベッドＢＥとの間に挿入する。その後、手動もしくは操作表示部１０３を通じて放射線照射部１０２の位置を調整し、最初の患者Ｈに対して１回目の放射線画像を撮影する（ステップＳ１）。カセッテＣＡは放射線照射部１０２による放射線が照射されると自動的に起動して放射線画像の読取動作を実行し、読み取った放射線画像のデータを内部の記憶部に記憶する。
【００６９】
放射線画像の撮影が完了すると、患者Ｈに対するカセッテＣＡの位置が調整済みか否か判断する（ステップＳ２）。ステップＳ２における判断動作は、過去の動作の履歴情報を参照し、装置本体部１００の本体制御部ＳＥ１（図３参照）により所定のプログラムに基づいて実行される。１回目の撮影動作後は、カセッテＣＡの位置が調整済みではないためステップＳ３の動作に移行する。
【００７０】
ステップＳ３では、今回撮影された放射線画像のデータを間引いて作成された間引きデータをカセッテＣＡから装置本体部１に送信する（ステップＳ２）。間引きデータは、操作表示部１０３に表示した場合に撮影技師が放射線画像をある程度認識出来るものであり、間引きデータのデータ量は正式な放射線画像のデータの８分の１から１６分の１程度である。
【００７１】
装置本体部１は間引きデータを受信すると、間引きデータに基づく放射線画像を操作表示部１０３のモニタ１０３Ａに表示し、患者Ｈに対するカセッテＣＡの位置がＯＫか否か判断する（ステップＳ４）。ステップＳ４における実際の判断は撮影技師により行われ、撮影技師がＯＫと判断したら操作表示部１０３のＯＫボタンを押し、ＮＧと判断したら操作表示部１０３のＮＧボタンを押す。装置本体部１００は操作表示部１０３のキー操作に基づく信号により、カセッテＣＡの位置がＯＫか否か判断する。
【００７２】
ステップＳ４において患者Ｈに対するカセッテＣＡの位置がＯＫと判断した場合は（ステップＳ４；Ｙｅｓ）、当該患者Ｈの撮影が終了したか判断し（ステップＳ６）、例えば２回以上、同じ患者Ｈに対して放射線画像を撮影する場合は、ステップＳ１に戻って放射線画像の撮影を実行する。その後は、一度ステップＳ４においてカセッテＣＡの位置がＯＫと判断されているため、ステップＳ２において位置調整済みとなり、ステップＳ３には移行しない。ただし撮影技師の要求により放射線画像を確認するため、ステップＳ３に移行してもよい。
【００７３】
一方、ステップＳ４において患者Ｈに対するカセッテＣＡの位置がＯＫではないと判断した場合は（ステップＳ４；Ｎｏ）、カセッテＣＡを再設定し（ステップＳ５）、もう一度放射線画像を撮影する（ステップＳ１）。そしてステップＳ２ではカセッテＣＡの位置が調整済みではないと判断し（ステップＳ２；Ｎｏ）、前述したステップＳ３、Ｓ４の動作を実行してカセッテＣＡの位置がＯＫになるまで動作を繰り返し行う。なお、カセッテＣＡの位置がＯＫではない際に撮影した放射線画像のデータはそのままカセッテＣＡに記憶させておき、余分な放射線画像がどの段階で記憶されているか等の履歴情報を撮影技師が携帯端末２００に記憶されておく。このようにすれば、移動型放射線撮影装置１における撮影動作が終了し、カセッテＣＡに記憶した放射線画像のデータ及び携帯端末２００の履歴情報をホストコンピュータに吸い上げた際に、カセッテＣＡに順々に記憶されていた放射線画像のデータがどの患者Ｈを撮影したものであるか、カセッテＣＡの位置が調整済みのデータか等、放射線画像のデータと患者Ｈ等との照合を正確に行うことが出来る。
【００７４】
ステップＳ６において患者Ｈの撮影が終了したと判断すると（ステップＳ６；Ｙｅｓ）、撮影技師が他に放射線画像を撮影する患者Ｈが居るかどうか携帯端末２００を通じて判断し（ステップＳ７）、他に放射線画像を撮影する患者がいる場合は（ステップＳ７；Ｎｏ）、カセッテＣＡをカセッテ収納部１０５に収納させた状態で移動型放射線撮影装置１を移動し（ステップＳ８）、ステップＳ１に戻って次の患者Ｈに対して放射線画像を撮影する。
【００７５】
以上、図９で説明したように、カセッテＣＡの位置を調整して放射線画像を撮影すれば、適正な放射線画像を撮影することが出来る。また、カセッテＣＡの位置を調整する際に間引きデータを利用すれば、カセッテＣＡから装置本体部１００へのデータ送信の時間を抑えることができ、撮影技師等の待ち時間を減少させることが出来る。また、データ送信の時間を抑えることにより、例えば電波障害により患者Ｈが使用しているペースメーカーの誤動作等を抑制することも出来る。
【００７６】
ところで、移動型放射線撮影装置１を移動させて複数の患者Ｈの放射線画像を撮影する場合、基本的にはホストコンピュータから携帯端末２００が得た撮影順序に基づき放射線画像を撮影するが、撮影したい患者Ｈが他の診察等で病室から離れて不在の場合があり、状況により撮影順序を変更したい場合があり得る。
【００７７】
そこで、そのような場合は、携帯端末２００を通じて撮影技師が撮影順序を変更するようにし、変更した撮影順序を携帯端末２００の記憶部に記憶されておく。このようにすれば、撮影順序が変更されたとしても、移動型放射線撮影装置１における撮影動作が終了し、カセッテＣＡに記憶した放射線画像のデータ及び携帯端末２００の履歴情報をホストコンピュータに吸い上げた際に、放射線画像のデータと患者Ｈとの照合が正確に行うことが出来る。また、当初、複数の患者Ｈに対して１枚ずつ放射線画像を撮影する予定であったが、途中で撮影する枚数を個別に変更した場合に、変更した撮影枚数を携帯端末２００の記憶に記憶するようにしてもよい。
【００７８】
つまり、撮影順序や撮影枚数等を変更した際にその変更した情報を携帯端末２００に記憶することが出来れば、前述したように衛生面を考慮しつつ、一つのカセッテＣＡで複数の患者Ｈの放射線画像を撮影出来るとともに、放射線画像と患者Ｈとの照合も正確に行うことが出来る。
【００７９】
以上、本発明を図１〜図９に示す実施形態を用いて説明したが、本発明は当該実施形態に限定されるものではなく、本発明の要旨を逸脱しない範囲における変更や追加があっても本発明に含まれる。
【符号の説明】
【００８０】
１  移動型放射線撮影装置
１００  装置本体部
１０１Ａ、１０１Ｂ  車輪
１０２  放射線照射部
１０３  操作表示部
１０４  開閉扉
１０５  カセッテ収納部
１０６  本体記憶部
１０７  本体電源部
１０８  照射駆動部
１０９  本体通信部
１０５Ａ  支持棒
１０５Ｂ  分離爪
１０５Ｃ  背面板
１１０  吸引盤
１２０  解除部
１２０Ａ  解除ボタン
１２０Ｂ  壁部材
１２０Ｃ  Ｏリング
１２０Ｄ  バネ部材
２００  携帯端末
２０１  端末記憶部
２０２  端末操作表示部
２０３  端末電源部
２０４  端末通信部
ＢＥ  ベッド
ＣＡ  カセッテ
Ｈ  患者
Ｐ  収納袋
ＳＥ１  本体制御部
ＳＥ２  端末制御部
【図１】
2011160913.tif 000003
【図２】
2011160913.tif 000004
【図３】
2011160913.tif 000005
【図４】
2011160913.tif 000006
【図５】
2011160913.tif 000007
【図６】
2011160913.tif 000008
【図７】
2011160913.tif 000009
【図８】
2011160913.tif 000010
【図９】
2011160913.tif 000011